(57)【要約】【課題】入退室する利用者と物品の持ち出しを管理する物品持ち出し管理シテムを提供する。【解決手段】保管エリア内へ入室または保管エリアから退室する利用者用の第１のＲＦＩＤタグ及び保管エリア内に保管された複数の物品に取り付けられた第２のＲＦＩＤタグに記憶された情報を読み取り可能なＲＦＩＤリーダと、保管エリアへの入室と保管エリアからの物品の持ち出しの可否を管理する管理情報を保存する管理部と、第１、第２のＲＦＩＤリーダで読み取った情報と管理部の管理情報を照合して、保管エリアへの不正侵入及び物品の不正持ち出しを抑制する抑制部と、を具備する。【選択図】図１
2011060041.tif 000002
【特許請求の範囲】
【請求項１】
保管エリア内に保管された物品の持ち出し管理を行う物品持ち出し管理システムであって、
前記保管エリア内へ入室または保管エリアから退室する利用者用の第１のＲＦＩＤタグ及び前記保管エリア内に保管された複数の物品に取り付けられた第２のＲＦＩＤタグに記憶された情報を読み取り可能なＲＦＩＤリーダと、
前記保管エリアへの入室と前記保管エリアからの前記物品の持ち出しの可否を管理する管理情報を保存する管理部と、
前記第１、第２のＲＦＩＤリーダで読み取った情報と前記管理部の管理情報を照合して、前記保管エリアへの不正侵入及び前記物品の不正持ち出しを抑制する抑制部と、
を具備したことを特徴とする物品持ち出し管理システム。
【請求項２】
前記抑制部は、前記保管エリアの出入口に設けた開閉自在なゲート部材を有し、前記ゲート部材を開閉することを特徴とする請求項１記載の物品持ち出し管理システム。
【請求項３】
前記抑制部は、前記保管エリアの出入口に設けた警告部を有し、前記警告部を駆動して警告音を発することを特徴とする請求項１記載の物品持ち出し管理システム。
【請求項４】
前記第１のＲＦＩＤタグには、前記保管エリア内への入室を許可するか否かの情報が記憶され、前記抑制部は、入室が許可されていない利用者が入室しようとしたとき、又は不正に入室した利用者が退室しようとしたときに抑制することを特徴とする請求項１記載の物品持ち出し管理システム。
【請求項５】
前記第１のＲＦＩＤタグには、前記保管エリア内にある前記物品の持ち出しを許可するか否かの情報が記憶され、前記抑制部は、持ち出し許可のない利用者が前記物品を持ち出そうとするときに抑制することを特徴とする請求項１記載の物品持ち出し管理システム。
【請求項６】
前記第２のＲＦＩＤタグには、前記保管エリアからの持ち出しを許可するか否かの情報が記憶され、前記抑制部は、持ち出し許可のない利用者が持ち出し禁止の物品を持ち出そうとしたときに抑制することを特徴とする請求項１記載の物品持ち出し管理システム。
【請求項７】
前記管理部は、前記利用者が前記保管エリア内の物品を持ち出すときに持ち出し登録を行い、前記抑制部は、登録されていない物品が持ち出されようとしたときに抑制することを特徴とする請求項１記載の物品持ち出し管理システム。
【請求項８】
保管エリア内に保管された物品の持ち出し管理を行う物品持ち出し管理方法であって、
前記ゲート付近にＲＦＩＤリーダを設け、
前記保管エリア内へ入室または保管エリアから退室する利用者が所持する第１のＲＦＩＤタグ及び前記保管エリア内に保管された複数の物品に取り付けられた第２のＲＦＩＤタグの情報を前記ＲＦＩＤリーダで読み取り、
前記保管エリアへの入室と前記保管エリアからの前記物品の持ち出しの可否を管理する管理情報をデータベースに保存し、
前記第１、第２のＲＦＩＤリーダで読み取った情報と前記管理情報を照合して、前記保管エリアへの不正侵入及び前記物品の不正持ち出しを抑制することを特徴とする物品持ち出し管理方法。
【請求項９】
前記保管エリアの出入口に開閉自在なゲート部材を設け、前記保管エリアへの不正侵入及び前記物品の不正持ち出しを、記ゲート部材を閉じて抑制することを特徴とする請求項８記載の物品持ち出し管理方法。
【請求項１０】
前記保管エリアの出入口に警告部を設け、前記保管エリアへの不正侵入及び前記物品の不正持ち出しを、警告音を発して抑制することを特徴とする請求項８記載の物品持ち出し管理方法。
【請求項１１】
前記第１のＲＦＩＤタグには、前記保管エリア内への入室を許可するか否かの情報が記憶され、入室が許可されていない利用者が入室しようとしたとき、又は不正に入室した利用者が退室しようとしたときに抑制することを特徴とする請求項８記載の物品持ち出し管理方法。
【請求項１２】
前記第１のＲＦＩＤタグには、前記保管エリア内にある前記物品の持ち出しを許可するか否かの情報が記憶され、持ち出し許可のない利用者が前記物品を持ち出そうとするときに抑制することを特徴とする請求項８記載の物品持ち出し管理方法。
【請求項１３】
前記第２のＲＦＩＤタグには、前記保管エリアからの持ち出しを許可するか否かの情報が記憶され、持ち出し許可のない利用者が持ち出し禁止の物品を持ち出そうとしたときに抑制することを特徴とする請求項８記載の物品持ち出し管理方法。
【請求項１４】
前記利用者は前記保管エリア内の物品を持ち出すときに持ち出し登録を行い、登録されていない物品が持ち出されようとしたときに抑制することを特徴とする請求項８記載の物品持ち出し管理方法。
【発明の詳細な説明】
【技術分野】
【０００１】
本発明は、無線タグを利用して、所定のエリアへの入退出や物品の持ち出しを管理する物品持ち出し管理シテム及び物品持ち出し管理方法に関する。
【背景技術】
【０００２】
従来、図書館やレンタルビデオ店等では、大量の書籍やビデオテープの貸出、返却管理を効率的に行うため、ＲＦＩＤ（Radio Frequency Identification）タグ及びＲＦＩＤリーダを用いたセキュリティシステムを採用し、書籍やビデオテープ等が不正に持ち出されないようにしている。
【０００３】
例えば、書籍やビデオテープにＲＦＩＤタグを貼り付け、各ＲＦＩＤタグに固有のＩＤ情報を記憶し、利用者が所望の書籍等の貸出しを希望する際には、貸出しカウンタへ持参し、館員がリーダライタによって書籍等のＦＲＩＤタグのＩＤ情報を読取るようにしている。読取られたＩＤ情報は、ホストコンピュータにて処理され、ホストコンピュータのデータベースに該当する書籍が貸し出されたことを記憶するようにして貸出し処理されている。
【０００４】
また、図書館等の出入り口にはゲートを設け、利用者が館内の所蔵書籍等を所持して出入り口ゲートを通過する際には、ゲートに設けられたＲＦＩＤリーダによって、書籍に装着されているＲＦＩＤタグのＩＤ情報を読み取り、正しく貸出し処理が行われたか否かをホストコンピュータに問い合わせ、正規に貸出し手続が行われている場合はゲートを開放して利用者が退出できるようにしている。もし、利用者が正規の貸出し手続を経ないで書籍等を持出そうとした場合は、ゲートを閉じて退出を拒否するようにしている。
【０００５】
特許文献１には、貸し出しが正規に行われたか否かを判定して出口ゲートを制御する物品貸出し管理システムが開示されている。
【０００６】
ところで、上記したような管理システムは、図書館などでの物品貸出し管理には有効であるが、入退室する利用者を制限することはできない。例えば企業等においては、機密漏洩を防止するため、ソフトウェアや、ＣＤ−ＲＯＭ、カセットテープ、パーソナルコンピュータ等の物品を特定の部屋に保管し、入室可能な利用者を管理者等の特定の利用者に制限したり、入室可能であっても物品の持ち出しを禁止したい場合がある。しかしながら、従来のシステムでは、利用者の入退室と物品の持ち出しの両方を管理することができなかった。
【先行技術文献】
【特許文献】
【０００７】
【特許文献１】特開２００６−２６８６９６号公報
【発明の概要】
【発明が解決しようとする課題】
【０００８】
従来の物品貸出し管理システムでは、図書館などでの物品貸出し管理には有効であるが、入退室する利用者を制限することができない。このため、機密漏洩を防止するため、ソフトウェア等の物品を特定の部屋に保管し、入室可能な利用者を特定の利用者に制限したり、入室は許可しても物品の持ち出しは禁止したい場合等に不具合を来たしていた。
【０００９】
本発明は上記事情に鑑みて成されたもので、入退室する利用者と物品の持ち出しを管理する物品持ち出し管理シテム及び物品持ち出し管理方法を提供することを目的とする。
【課題を解決するための手段】
【００１０】
請求項1記載の本発明は、保管エリア内に保管された物品の持ち出し管理を行う物品持ち出し管理システムであって、前記保管エリア内へ入室または保管エリアから退室する利用者用の第１のＲＦＩＤタグ及び前記保管エリア内に保管された複数の物品に取り付けられた第２のＲＦＩＤタグに記憶された情報を読み取り可能なＲＦＩＤリーダと、前記保管エリアへの入室と前記保管エリアからの前記物品の持ち出しの可否を管理する管理情報を保存する管理部と、前記第１、第２のＲＦＩＤリーダで読み取った情報と前記管理部の管理情報を照合して、前記保管エリアへの不正侵入及び前記物品の不正持ち出しを抑制する抑制部と、を具備したことを特徴とする。
【００１１】
また、請求項８記載の本発明は、保管エリア内に保管された物品の持ち出し管理を行う物品持ち出し管理方法であって、前記ゲート付近にＲＦＩＤリーダを設け、前記保管エリア内へ入室または保管エリアから退室する利用者が所持する第１のＲＦＩＤタグ及び前記保管エリア内に保管された複数の物品に取り付けられた第２のＲＦＩＤタグの情報を前記ＲＦＩＤリーダで読み取り、前記保管エリアへの入室と前記保管エリアからの前記物品の持ち出しの可否を管理する管理情報をデータベースに保存し、前記第１、第２のＲＦＩＤリーダで読み取った情報と前記管理情報を照合して、前記保管エリアへの不正侵入及び前記物品の不正持ち出しを抑制することを特徴とする。
【発明の効果】
【００１２】
本発明によれば、ＲＦＩＤリーダを用いて入退出および物品の持ち出し管理を行うことができ、物品が不正に持ち出されるのを禁止することができる。
【図面の簡単な説明】
【００１３】
【図１】本発明の一実施形態に係る物品持ち出し管理シテムを示す構成図。
【図２】一実施形態におけるＲＦＩＤリーダの構成を示すブロック図。
【図３】ゲートを中心にした物品持ち出し管理シテムを示す構成図。
【図４】ＲＦＩＤタグへの登録処理を示すフローチャート。
【図５】物品の貸出登録と返却の動作を示すフローチャート。
【図６】入室時の動作を示すフローチャート。
【図７】退室、持ち出し時の動作を示すフローチャート。
【発明を実施するための形態】
【００１４】
以下、この発明の一実施の形態について図面を参照して詳細に説明する。
【実施例１】
【００１５】
図１は本発明の一実施形態に係る物品持ち出し管理シテムの構成図である。この実施形態の物品持ち出し管理シテムは、管理対象の物品が保管された保管エリア（例えば部屋１００）への入室や、管理対象物品の持ち出しの可否を管理するもので、パーソナルコンピュータ１０（以下、ＰＣ１０と呼ぶ）と、入室を許可された利用者Ｐ１が身に付けたＲＦＩＤタグ（無線タグ）２１及び管理対象の物品Ｐ２に取り付けられたＲＦＩＤタグ２２の情報を読み取るＲＦＩＤリーダ３０を有する。
【００１６】
また、部屋１００の出入り口に設けたゲート４０と、ゲート４０の開閉を制御するゲート制御部５０と、ゲート制御部５０によって制御されゲート４０を開閉駆動するゲート駆動部５１と、警告部５２を有する。尚、ゲート４０や警告部５２は、保管エリア１００への不正侵入及び物品の不正持ち出しを抑制する抑制部を構成する。
【００１７】
ＲＦＩＤタグ２１は、保管エリア（部屋１００）に入室可能な複数の利用者がそれぞれ所持する。また管理対象の物品Ｐ２は、部屋１００内に複数保管されており、それぞれの物品にＲＦＩＤタグ２２が取り付けられている。図１では、複数の物品Ｐ２の中の１つを利用者Ｐ１が持ち出す場合を例示している。
【００１８】
ＰＣ１０は、管理部を構成するもので、入退室管理アプリケーション１１と、入退室者用の管理データを記憶するデータベース１２と、物品管理用データを記憶するデータベース１３を含み、入退室管理アプリケーション１１のソフトウェアに基づいてシテムの全体の動作を制御する。
【００１９】
ＲＦＩＤリーダ３０は、ＲＦＩＤタグ２１，２２と無線で通信可能であり、ＲＦＩＤリーダ３０からＲＦＩＤタグ２１，２２に対して電波を発信し、ＲＦＩＤタグ２１，２２からの応答電波をＲＦＩＤリーダ３０で読み取る。また、ＲＦＩＤリーダ３０は、ＰＣ１０に接続している。
【００２０】
部屋１００内には、管理対象となる物品Ｐ２を保管する保管場所を有し、それぞれの物品にＲＦＩＤタグ２２が貼り付けられている。管理対象となる物品Ｐ２としては、パーソナルコンピュータ、ソフトウェアや各種のデータが記憶されたＣＤ−ＲＯＭやカセットテープ、各種の書類（契約書、設計書、企画書）等が含まれる。また、入室が許可された利用者Ｐ１は、ＲＦＩＤタグ２１が組み込まれたカード等を所持している。
【００２１】
ＲＦＩＤリーダ３０にはアンテナ３９が接続されており、ＲＦＩＤリーダ３０は、アンテナ３９を介して利用者Ｐ１が所持するＲＦＩＤタグ２１と物品Ｐ２に取り付けたＲＦＩＤタグ２２との間で通信可能であり、ＲＦＩＤタグ２１及びＲＦＩＤタグ２２の情報を読み取ることができる。
【００２２】
ＲＦＩＤリーダ３０で読み取ったＲＦＩＤタグ２１及びＲＦＩＤタグ２２の情報は、ＰＣ１０に供給され、データベース１２，１３に保存されたデータと照合して、照合結果をゲート制御部５０に供給する。ゲート制御部５０は、許可されていない利用者が入室しようとしたり、物品Ｐ１を許可なく持ち出そうとした場合にゲート駆動部５２を駆動してゲート４０を閉じる。また警告部５２を駆動して警告灯を点灯させたり、警報を鳴らす。
【００２３】
図２は、ＲＦＩＤリーダ３０及び周辺装置の構成を示すブロック図である。ＲＦＩＤリーダ３０は、主制御部を構成するＣＰＵ３１（Central Processing Unit）と、ＲＯＭ３２（Read Only Memory）、ＲＡＭ３３（Random Access Memory）を含む記憶部と、ＰＣ１０とデータ通信を行う通信部３４を有する。また、ＲＦＩＤタグ２１，２２との間で通信を行うため、ＲＦＩＤ制御部３５、送信制御部３６、受信制御部３７、サーキュレータ３８を有している。サーキュレータ３８はアンテナ３９に接続されている。
【００２４】
ＲＦＩＤ制御部３５は、ＣＰＵ３１の制御のもとに送信制御部３６及び受信制御部３７を制御する。送信制御部３６は、ＲＦＩＤ制御部３５からの高周波信号をデジタルデータで変調してサーキュレータ３８に出力する。サーキュレータ３８は、送信制御部３６からの信号をアンテナ３９に出力し、アンテナ３９からはサーキュレータ３８の出力信号に応じた電波を発信する。
【００２５】
ＲＦＩＤタグ２１，２２は、アンテナ３９から発信された電波を受信すると、ＲＦＩＤリーダ３０に対して応答電波を発信する。ＲＦＩＤタグ２１，２２からの応答電波は、アンテナ３９で受信される。アンテナ３９で受信した応答電波は、サーキュレータ３８に入力され、受信制御部３７で受信処理される。受信制御部３７は、入力された信号を増幅した後ベースバンド信号に変換し、このベースバンド信号を復調してデジタルデータに変換し、ＲＦＩＤ制御部３５に出力する。
【００２６】
ＲＦＩＤリーダ３０は、ＰＣ１０に接続しており、ＰＣ１０のデータベース１２には、入室を許可された入退室者の情報（名前、会社名、部署名、役職など）や、入室を許可された利用者が所持するＲＦＩＤタグ２１のＩＤ情報等が記憶されている。またデータベース１２には、部屋１００内にある物品を自由に持ち出せる利用者や、許可を得れば持ち出せる利用者の情報が記憶されている。一方、データベース１３には、部屋１００内の各物品Ｐ２に、物品情報（物品名、管理者等）や、持ち出しが自由な物品か、許可された利用者のみが持ち出せる物品かといった情報が記憶されている。
【００２７】
図２において、アンテナ３９はゲート４０付近に配置され、ゲート４０を通る入Ｐ１が身に付けたＲＦＩＤタグ２１及び物品Ｐ２に取り付けたＲＦＩＤタグ２２に対してＲＦＩＤリーダ３０から電波を送信する。ＲＦＩＤタグ２１，２２は、ＲＦＩＤリーダ３０からの電波を受信するとＲＦＩＤリーダ３０に対して、応答電波を送信する。ＲＦＩＤリーダ３０は、受信した電波に含まれるＲＦＩＤタグ２１，２２の固有のＩＤ情報を読み取り、ＰＣ１０に送る。即ち、ＲＦＩＤタグ２１，２２にはそれぞれＩＤ情報が記憶されており、ＲＦＩＤリーダ３０からの読み取り要求に応じてＩＤ情報を含む信号を返送する。
【００２８】
ＰＣ１０は、データベース１２，１３に保存された入退室者用の管理データ及び物品管理用データと、ＲＦＩＤタグ２１，２２から送信されたＩＤ情報を照合して、利用者Ｐ１がゲート４０を通過しようとする際に入室を許可された者か否かを判断する。また物品Ｐ２を持ち出す場合は、持ち出しの手続きが正しく行われているか否かを判断してゲート４０を制御する。
【００２９】
図３は、抑制部であるゲート４０を中心にした物品持ち出し管理シテムを示す構成図である。図３において、ゲート４０は、部屋の出入り口４１に、扉、ドア、バー等のゲート部材４２を設けて成り、ゲート部材４２の開閉をゲート駆動部５１によって駆動する。出入口４１には、複数のアンテナ３９，３９…が取り付けられ、複数のアンテナ３９，３９はＲＦＩＤリーダ３０に接続されている。
【００３０】
したがって、ＲＦＩＤリーダ３０は、利用者がゲート４０を通る際に利用者Ｐ２が所持するＲＦＩＤタグ２２や物品Ｐ１に取り付けたＲＦＩＤタグ２１の情報を読み取ることができる。ＲＦＩＤリーダ３０によって読み取った情報は、ＰＣ１０に送られ、ＰＣ１０は読み取った結果をもとにゲート制御部５０を制御し、ゲート駆動部５１を駆動してゲート部材４２を開閉する。
【００３１】
またＲＦＩＤリーダ３０によって読み取った情報をもとに、ＰＣ１０は、部屋１００内に、いつ誰が入室したか、いつ退室したかを記録することもできる。また部屋１００から物品を持ち出す際に、持ち出し手続きを行い、いつ誰が何を持ち出したか、いつ返却したかといった情報を記録することができる。
【００３２】
以下、図４〜図７を参照して本発明の動作を説明する。例えば、コンピュータシステムではデータサーバのカセットを定期的に交換するため、サービスマンを呼んで交換作業を行う場合がある。この場合、サービスマンは、部屋１００には出入りできるが物品の持ち出しは禁止したい。また、管理者については部屋への出入りと物品の持ち出しを許可するようにしたい場合がある。さらに機密漏えいの面から、許可されていない利用者は部屋１００への出入りだけでなく物品の持ち出しも禁止したい場合もある。本発明は、このような人の入退室と物品の持ち出し管理を行う。
【００３３】
図４は、ＲＦＩＤタグ２１，２２の登録処理を示すフローチャートである。図４（ａ）は、利用者Ｐ１が所持するＲＦＩＤタグ２１への登録ステップであり、ステップＳ１では、ＲＦＩＤタグ２１のＩＤ情報や、部屋１００への入室が許可された利用者か否か等の情報を登録する。またステップＳ２はデータベース１２への登録ステップであり、部屋１００に入室可能な利用者の情報、例えば名前や部署、保有するＲＦＩＤタグ２１のＩＤ情報などを登録する。
【００３４】
図４（ｂ）は物品Ｐ２に取り付けたＲＦＩＤ２２への登録ステップであり、ステップＳ３では、ＲＦＩＤタグ２２のＩＤ情報や、持ち出し禁止の物品か、持ち出し自由の物品か等の情報を登録する。またステップＳ４はデータベース１３への登録ステップであり、各物品Ｐ２に取り付けたＲＦＩＤタグ２２のＩＤ情報や、持ち出し禁止物品か、持ち出し自由な物品かを示す情報が登録される。
【００３５】
図５は、部屋１００内の物品Ｐ２の貸出し、返却の登録処理を示すフローチャートである。図５（ａ）は物品Ｐ２の貸出し登録に関し、ステップＳ５では、物品Ｐ２を貸し出すときに、物品Ｐ２のＲＦＩＤタグ２２に貸し出した日時等の情報が登録され、ステップＳ６では、データベース１３に、いつ誰に、どの物品Ｐ２を貸し出したかといった情報を登録する。
【００３６】
図５（ｂ）は物品Ｐ２の返却登録に関し、ステップＳ７では、物品Ｐ２が返却されたときに、物品Ｐ２のＲＦＩＤタグ２２に返却した日時等の情報が登録され、ステップＳ８では、データベース１３に、いつ誰が、どの物品Ｐ２を返却したかといった情報を登録する。
【００３７】
図６は、入室時の動作を示すフローチャートである。入室する際に利用者Ｐ１は、ＲＦＩＤタグ２１を身に付けてゲート４０を通る。利用者の出入りは、例えばセンサ等により検知したり監視カメラを起動させる。ステップＳ１１では、センサが起動して誰かが入室したことを検知する。ステップＳ１２では、ＲＦＩＤリーダ３０によって入室者Ｐ１のＲＦＩＤタグ２１の情報を読み取る。ステップＳ１３では、タグ２１の情報が読み取れたか否かを判断し、読み取れない場合はステップＳ１４でゲート４０を閉じ入室を抑制する。
【００３８】
ステップＳ１３で、タグ２１の情報が読み取れた場合は、ステップＳ１５に進みＰＣ１０に記録されているデータと読み取ったデータを照合し、ステップＳ１６では入室許可者か否かを判断する。入室許可者でない場合は、ステップＳ１７でゲート４０を閉じて入室を抑制する。ステップＳ１６で、入室許可者であると判断されると、ステップＳ１８では、ゲート４０を開いて入室抑制を解除する。次のステップＳ１９では、利用者Ｐ１のＲＦＩＤタグ２１のＩＤ情報をもとにＰＣ１０のデータベース１２に、入室した利用者、及び時間情報を登録して入室手続きを完了する
次に退室時の動作を図７のフローチャートを参照して説明する。図７のステップＳ２１では、センサが起動して誰か退室しようとしていることを検知する。ステップＳＳ２２では、ＲＦＩＤリーダ３０によって利用者Ｐ１のＲＦＩＤタグ２１の情報を読み取る。ステップＳ２３では、タグ２１の情報が読み取れたか否かを判断し、読み取れない場合はステップＳ２４でゲート４０を閉じ退室を抑制する。例えば、ＲＦＩＤタグ２１が読み取りにくい位置にあるような場合は、正しく提示することで読み取り可能となる。
【００３９】
ステップＳ２３で、タグ２１の情報が読み取れた場合は、ステップＳ２５に進みＰＣ１０に記録されているデータと読み取ったデータを照合し、ステップＳ２６では入室が許可された者か否かを判断する。入室許可者でない場合は、ステップＳ２７でゲート４０を閉じて退室を抑制し、エラー表示する。ステップＳ２６で、入室許可者であると判断されると、ステップＳ２８では、持ち出し登録があるか否かを判断する。
【００４０】
持ち出し登録がされている場合は、ステップＳ２９で利用者Ｐ１が所持するＲＦＩＤタグ２１以外の他のＲＦＩＤタグ２２の情報が読み取れたか否かを判断する。ＲＦＩＤタグ２２の情報が読み取れない場合は、ステップＳ３０でゲート４０を閉じて退室を抑制し、エラー表示する。即ち、ここでＲＦＩＤタグ２２が読み取れない場合は、持ち出し登録したにも拘わらず、物品のＲＦＩＤタグが読めないような場合（隠して持ち出そうとするように場合）に退室を抑制する。
【００４１】
ステップＳ２９でＲＦＩＤタグ２２の情報が読み取れた場合は、ステップＳ３１に進み、ＰＣ１０に記録されているデータと読み取ったデータを照合し、ステップＳ３２では実際の持ち出し物品と登録された物品が一致するか否かを判断する。一致しない場合は、ステップＳ３３でゲート４０を閉じて退室を抑制し、エラー表示する。つまり、データ照合の結果、利用者が持ち出し禁止物品を持ち出そうとした場合に、それを防ぐことができる。ステップＳ３２において、持ち出す利用者と持ち出し物品が一致する場合は、ステップＳ３４に進み、ゲート４０を開いて退室抑制を解除する。
【００４２】
またステップＳ２８で、持ち出し登録されていないと判断した場合は、ステップＳ３５で他のＲＦＩＤタグ２２の情報が読み取れたか否かを判断する。ここでＲＦＩＤタグ２２の情報が読み取れない場合は、物品の持ち出しは無いと判断し、ステップＳ３４に進みゲート４０を開いて退室抑制を解除する。またステップＳ３５で他のＲＦＩＤタグ２２の情報が読み取れた場合は、物品が無断で持ち出されようとしているため、ゲート４０を閉じて退室を抑制し、エラー表示する。
【００４３】
こうして、ステップＳ３４で退室抑制が解除された場合は、ＰＣ１０のデータベース１２に退室した利用者を登録し、退室時間を登録する。また退室時に持ち出した物品がある場合は、持ち出された物品と持ち出し時間をデータベース１３に登録して退室動作を完了する。
【００４４】
尚、ステップＳ２７、Ｓ３０、Ｓ３３、Ｓ３６では、ゲート４０を閉じて退室を抑制する例を述べたが、抑制方法としては出入り口の扉の開錠を禁止したり、警告部５２を駆動して警告ブザーを鳴らすようにしてもよい。またエラー表示としては、例えばＰＣ１０の画面に「正規の手続きを踏まずに物品が持ち出されようとしています」といった表示を行い、注意を喚起すると良い。
【００４５】
このように、本発明の実施形態では、ＲＦＩＤタグを所持している利用者は、保管エリアに入室することができ、ＲＦＩＤタグを所持していない利用者の不正侵入を防止することができる。また持ち出しを許可された利用者が物品を持ち出す場合は、登録すれば持ち出すことができ、退室時に誰が、いつ、何を持ち出したかを管理することができる。
また持ち出し登録した物品と持ち出す利用者が異なる場合や、持ち出し登録をしないで物品が持ち出されようとした場合も退室が抑制されるため、物品が不正に持ち出されるのを禁止することができる。こうして、１つのＲＦＩＤリーダを用いて入退出および物品の持ち出し管理を行うことができる。
【００４６】
尚、本発明の実施形態は、以上の説明に限定されることなく、特許請求の範囲を逸脱しない範囲で種々の変形が可能である。
【符号の説明】
【００４７】
１００…保管エリア
１０…ＰＣ（管理部）
１１…入退出管理アプリケーション
１２，１３…データベース
２１，２２…ＲＦＩＤタグ
３０…ＲＦＩＤリーダ
３１…ＣＰＵ
３５…ＲＦＩＤ制御部
３６…送信制御部
３７…受信制御部
３８…サーキュレータ
３９…アンテナ
４０…ゲート
５０…ゲート制御部
５１…ゲート駆動部
５２…警報部
Ｐ１…利用者
Ｐ２…管理対照物品
【図１】
2011060041.tif 000003
【図２】
2011060041.tif 000004
【図３】
2011060041.tif 000005
【図４】
2011060041.tif 000006
【図５】
2011060041.tif 000007
【図６】
2011060041.tif 000008
【図７】
2011060041.tif 000009